(57)【要約】      （修正有）【課題】表面がガラス質の食品保存容器の外周面の適宜箇所に艶消し層を形成することにより、鉛筆等の身近にある筆記用具を用いて文字を書くことができ、しかも後で水洗いによって容易に文字を消すことができるようにした食品保存容器を提供する。【解決手段】本体部を構成する基材部１の両面の夫々に表ガラス質層２ａ、裏ガラス質層２ｂを形成し、かつ、表ガラス質層２ａの外表面の適宜箇所に艶消し層３を形成する食品保存容器である。【選択図】図１
0003124284.tif 000002
【実用新案登録請求の範囲】
【請求項１】
本体部を構成する基材部（１）の両面の夫々に表ガラス質層（２ａ）、裏ガラス質層（２ｂ）を形成し、
かつ、前記表ガラス質層（２ａ）の外表面の適宜箇所に艶消し層（３）を形成することを特徴とする食品保存容器。
【請求項２】
前記艶消し層（３）は、マット転写層であることを特徴とする請求項１記載の食品保存容器。
【請求項３】
前記艶消し層（３）は、マット釉層であることを特徴とする請求項１記載の食品保存容器。
【請求項４】
前記艶消し層（３）は、ショットブラスト層であることを特徴とする請求項１記載の食品保存容器。
【考案の詳細な説明】
【技術分野】
【０００１】
この考案は、さび止めや装飾を目的として金属の素地に琺瑯引き、あるいは、陶の素地に釉を焼き付けた食品保存容器に関する。詳しくは、外表面がガラス質の食品保存容器の本来の機能に特殊の機能を付加して差別化できるようにしたもので、光沢があって滑らかな食品保存容器に鉛筆等身近にある筆記用具を用いて文字を書くことを目的として、外表面の適宜箇所に艶消し層を形成した食品保存容器に関する。
【背景技術】
【０００２】
現在使用されている食品保存容器は、琺瑯引き（鉄）、アルミニウム、ステンレス鋼等の金属製、あるいは陶器、ガラス、プラスチック製等の非金属製の各種材質のものが有る。この中で、一見平滑性を有する様に見えるステンレス製やアルミ製は、素材自体に微細な凸凹を有するので、汚れが落ち難い。また、プラスチック製の容器は、表面が柔らかいので傷が付き易く、一旦傷が付くと汚れを落とし難く、清潔性を保ち難い。
【０００３】
一方、琺瑯引き、ガラス製、陶器製の食品保存容器は、元来表面が極めて平滑面なので、汚れを落とし易く清潔性が求められる食品保存容器としては最適である。また、これらの素材の表面に共通するガラス質層は化学的に不活性なので中に入れた食品と反応することや金属の溶出も無く衛生的である。
【０００４】
また、上記のガラス質層をもった食品保存容器はどれも、表面をカラフルに彩色し、自在に絵柄等の焼付けを施すことができるので、台所を主要な生活の場としている主婦にとっては、飾り物の域に達していると言える程に極めて魅力的な商品である。
【０００５】
ところで、本考案と直接関係は無いが、琺瑯引きに機能性を付加した製品として数々の構造のものが提案されている。その一例として、加熱効率が高く、健康増進作用や治療効果を目的として、遠赤外線放射性、抗菌性、防虫性、脱臭性、脱臭性等を有するセラミック粉末を含有した琺瑯製品がある（特許文献１参照）。
【０００６】
【特許文献１】特開平０６−０５６４７０号公報
【考案の開示】
【考案が解決しようとする課題】
【０００７】
以上の通り食品保存容器は各種様々であり、その中で表面がガラス質の食品保存容器は食品を保存する素材として数々の長所を有するが次のような問題点がある。
【０００８】
食品保存容器は食品の賞味期限の覚えのため保存開始の日付等や中に入れた内容物について外から見える様にメモ書きをしておきたいものである。しかし、表面がガラス質の食品保存容器では、表面が平滑面を有するので鉛筆や水性ペン等の身近にある筆記用具を用いて文字を書く場合、滑ってうまく書くことができない。この場合、油性ペンを使って書くか、あるいは紙等のラベルを貼ってその上に書くしかなく、油性ペンでは食品の入れ換え時に前の文字を消し難い。また、ラベルでは容器を洗浄する際に濡れて古いラベルを剥がしたり、新しいラベルを貼る手間がかかる。
【０００９】
そこで、本考案の食品保存容器は、このような従来の抱える問題点を解決するためになされたもので、表面がガラス質の食品保存容器の外周面の適宜箇所に艶消し層を形成することにより、鉛筆等の身近にある筆記用具を用いて文字を書くことができ、しかも後で水洗いによって容易に文字を消すことができるようにした食品保存容器を提供することを目的としている。
【課題を解決するための手段】
【００１０】
そこで、本考案者等は、食品保存容器のガラス質のつるつるした外表面に艶消し面を形成することを着想し、この着想に基づきマット転写による艶消し層を試作したところ、この艶消し面に鉛筆で字を書くことができるという知見を得た。本考案の食品保存容器はかかる知見を基に具現化したもので、請求項の考案は、本体部を構成する基材部（１）の両面の夫々に表ガラス質層（２ａ）、裏ガラス質層（２ｂ）を形成し、かつ、前記表ガラス質層（２ａ）の外表面の適宜箇所に艶消し層（３）を形成することを特徴とする食品保存容器である。ここで、艶消し層（３）はマット転写層あるいはマット釉層でもよく、ショットブラスト層でもよい。
【００１１】
ここで、本明細書でいう「ガラス質層」とは、琺瑯引きの場合、おもに鉄の素地に釉を塗って焼いて表面を覆った琺瑯層のことを意味し、あるいは陶器の場合、陶の素地に釉を塗って焼いて表面を覆った層のことを意味する。
【００１２】
また、本明細書でいう「艶消し層」とは、鉛筆等の身近にある筆記用具を使ってその上に文字を書くことを目的として、つるつるしたガラス質の外表面の適宜箇所に形成した極微細な凹凸層のことを意味する。
【００１３】
さらに、「マット転写層」とは、ガラス質の外表面に顔料をこの融点より若干低い温度で焼き付けた極微細な凹凸層のことを意味する。あるいは、「マット釉層」とは、ガラス質の外表面に釉をこの融点より若干低い温度で焼き付けた極微細な凹凸層のことを意味する。あるいは、「ショットブラスト層」とは、ガラス質の外表面にショットブラスト処理によって形成した極微細な凹凸層のことを意味する。
【考案の効果】
【００１４】
ガラス質層を有する食品保存容器の外表面に、極微細な凹凸がある艶消し面を形成するので、この上に鉛筆等の身近にある筆記用具で文字を書くことができる。しかも、後で容易に水洗いによって文字を消すことができるので、何度でも使用可能である。しかも、容器の内表面もガラス質層が形成されているので、ガラス質の有する本来の耐蝕性、耐久性、清潔性等に優れ、他食品の臭いを吸着しない等の効果を奏する。
【考案を実施するための最良の形態】
【００１５】
本考案の実施の形態を、添付図面に示した本考案の実施例に基づいて以下に具体的に説明する。
【実施例１】
【００１６】
先ず、本考案の実施例１について、図１〜３を参照しながら説明する。図１は、琺瑯引きのパック食品保存容器に艶消し層を形成した状態を示す斜視図である。図２は、図１のＡ−Ａ矢視部分の拡大断面図である。図３は、同上、他の琺瑯引きのパック食品保存容器に艶消し層を形成した状態を示す斜視図である。
【００１７】
食品保存容器本体の基材部として鉄を使用し、この外内面に釉を高温度で焼き付け処理した琺瑯層を形成する。次いで、食品保存容器Ｃの外表面の琺瑯層の適宜箇所に、顔料をこの融点より低い温度で焼き付けたマット転写層を形成する。顔料をその融点より若干低い温度で焼き付けることにより、本来は融点にて艶が発生するがそれより若干低い温度での焼成により艶が出ず艶消し状態で出来上がる。このようにして図１、３に示すように琺瑯引き食品保存容器Ｃが製作される。本実施例の食品保存容器Ｃは食品保存が主たる機能であり、側面１０の外表面の適宜箇所に艶消し層３が形成され、上に蓋２０が被さる。
【００１８】
図１における琺瑯引きの食品保存容器ＣのＡ−Ａ矢視部分の拡大断面を図２に示す。食品保存容器Ｃの本体部を構成する基材部１の外周に表琺瑯層２ａおよび内周に裏琺瑯層２ｂを夫々形成する。そして、外から見易い側面１０の部位において、表琺瑯層２ａの外表面の適宜箇所に艶消し層３を形成する。例えば、図１に示すように、メモ記入部位３１、３２、３３として消し層３を適宜分割して形成する。図３では、大き目のメモ記入部位３４として艶消し層３を形成する。
【００１９】
以上のように構成され、次に作用について説明する。
【００２０】
図２に示すように、表琺瑯層２ａの適宜箇所に重ねて艶消し層３を形成したので、琺瑯引き本来のきらびやかさを保ちながらも、艶消し層３に鉛筆等の身近にある筆記具を用いて文字を書くことができる。例えば、図１のメモ記入部位３１に中に入れた食品の保存開始の月を、メモ記入欄３２にその日を書く。メモ記入部位３３に食品内容物について特記的な覚えを書く。側面１０の外表面にメモ記入部位を設けたので冷蔵庫入れたままで外から見易い。この様にして、容器の中に何が入っており、それを何日までに食べればよいか等の賞味期限管理をすることができる。しかも、後で水洗いによってこの字を消すことができるので便利である。
【００２１】
また、図３のように大き目の艶消し層を形成したので、このメモ記入部位３４に食品名や賞味期限月日、量等を好みに応じて書けばよい。
【００２２】
また、本実施例では、艶消し層を形成する方法として、琺瑯層の外表面に顔料をその融点より低い温度で焼き付けるマット転写による方法を採用したが、他の方法によるものでもよい。艶消し層としては極微細な凹凸を有する層が得られれば良いので、ガラス質の外表面に釉をその融点より低い温度で焼き付けるマット釉による方法でもよい。これらの化学的な処理の他に、ガラス質層の表面に機械的にショットブラスト処理を施すことにより極微細な凹凸層を形成することでもよい。
【産業上の利用可能性】
【００２３】
なお、本考案による艶消し層の使途は、基材部１が金属で外表面が琺瑯引きの食品保存容器に限るものではなく、基材部１が陶の素地に釉を焼き付けた外表面がガラス質の食品保存容器にも応用できる。
【図面の簡単な説明】
【００２４】
【図１】琺瑯製食品保存容器の斜視図である。
【図２】同上、図１のＡ−Ａ矢視部分の拡大断面図である。
【図３】同上、他の琺瑯製食品保存容器の斜視図である。
【符号の説明】
【００２５】
Ａ  断面矢視記号
Ｃ  琺瑯引き食品保存容器
１  基材部
２  琺瑯層
２ａ  表琺瑯層
２ｂ  裏琺瑯層
３  艶消し層
３１、３２、３３、３４  メモ記入部位
１０  側面
２０  蓋
【図１】
0003124284.tif 000003
【図２】
0003124284.tif 000004
【図３】
0003124284.tif 000005